(57)【要約】【課題】  記録紙が所定量スタックされた場合、機械内部のカバーの役目も担っている記録紙排紙トレイ部（排紙された記録紙を積載する受け台）を回動させて記録紙を別に設けた収納箱に入れる（落とし込む）ことができる記録紙排出装置およびこれを備え例えば画像形成装置を提供する。【解決手段】  筐体内部に記録紙Ｐを排出し、スタックする記録紙排出装置において、機械内部品をカバーするカバー部材９に記録紙Ｐをスタックする排紙トレイ機能を持たせかつ前記排紙トレイ９を回動可能な構成とし、前記排紙トレイ９を支持するレバー部材１４を所定の荷重で引っ張るばね部材１５を設ける。【選択図】        図２
2005298127.tif 000002
【特許請求の範囲】
【請求項１】
胴内に設けられ機械内部品をカバーする機能を備えた排紙トレイ上に記録紙を排出しスタックする記録紙排出装置において、前記排紙トレイを上下方向に回動可能な構成にすると共に、前記排紙トレイを支持するレバー部材を設け、該レバー部材を所定の荷重で引っ張ることによりレバー部材によって排紙トレイを支持させるばね部材を設けたことを特徴とする記録紙排出装置。
【請求項２】
前記排紙トレイを傾斜させて落下させた記録紙束を収納する収納箱を設けたことを特徴とする請求項１記載の記録紙排出装置。
【請求項３】
前記排紙トレイが一端部を中心に上下方向へ回動可能で、前記レバー部材が回動可能で、前記ばね部材が前記レバー部材を所定の荷重で引っ張ることを特徴する請求項２記載の記録紙排出装置。
【請求項４】
排紙トレイ上に置ける記録紙の満載を検知する満載検知スイッチを備えたことを特徴とする請求項３記載の記録紙排出装置。
【請求項５】
前記レバー部材を電気信号により回動させるソレノイド部材を設けたことを特徴とする請求項４記載の記録紙排出装置。
【請求項６】
前記収納箱に収容された記録紙端を揃える記録紙揃え機構を備えたことを特徴する請求項２記載の記録紙排出装置。
【請求項７】
請求項１ないし６のいずれか１項記載の記録紙排出装置を備えていることを特徴とする画像形成装置。
【請求項８】
ファクシミリ装置であることを特徴とする請求項７記載の画像形成装置。
【発明の詳細な説明】
【技術分野】
【０００１】
本発明は、排紙トレイを回動させて記録紙を落とす構成を有する記録紙排出装置およびこの記録紙排出装置を備えた複写機、プリンタ、ファクシミリ装置等の画像形成装置に関するものである。
【背景技術】
【０００２】
画像形成装置外へ記録紙を排紙する胴外排紙装置においては、排紙記録紙の枚数が排紙装置の積載容量を超えている場合に、画像形成装置本体排紙トレイを外して記録紙を機械外の収容手段に落とすことを可能としたものがあり、排紙トレイを回動させて記録紙を落とす構成も知られている（例えば特許文献１および２参照）。
画像記録装置において、近年パソコンの普及に伴い記録される量が増大しかつ１台の記録装置に複数のパソコンから出力指示が出されるため、出力される記録紙のスタック量をすぐにオーバーしてジャム等の問題を引き起こしていた。
これらの問題の対応として記録紙の満載検知を行いジャムの防止を図っている。しかし、満載検知されると記録装置は出力ができなくなり、結局、機械は使用不能な状態に陥り業務等の支障となっていた。
このような対応を最も必要とするものはファクシミリ装置で、かかるファクシミリ装置は、受信時期、及び受信枚数を予測できないため、記録紙がいつ送られてくるか分からず、かつ休日等も装置は受信を受け付けるため、記録紙が満載となりジャムが起きたり、装置が受信を受け付けられなくなると大きな問題となる。
とくに、不動産関係では、休日に相当数の記録紙を受信するため、休日にファクシミリ装置がダウン（記録紙満載により）すると営業上大きな障害となる可能性が有る。
【特許文献１】特開平０９−０２０４４４号公報
【特許文献２】特開２００３−４０５０６公報
【発明の開示】
【発明が解決しようとする課題】
【０００３】
上記の対応策として、記録紙を機械の外側に排出する胴外排紙装置においては、排紙トレイを外して記録紙を機械外に位置する大容量の収容手段へ落としていた。また、上記特許文献１では、排紙トレイを回動させて記録紙を落として対応することが提案されている。
しかしながら、胴内排紙の場合は、排紙トレイが機械内部のカバーの役割も担っているため、無闇に外すことができず、また、外したとしても大量の記録紙を胴内の排紙部に排出、積載することができないため対応に苦慮していた。
本発明の目的は、上述した実情を考慮して、胴内排紙装置を備えた画像形成装置において、記録紙が排紙トレイ部上に所定量スタックされた場合、機械内部のカバーの役目も担っている上記排紙トレイ部（排紙された記録紙を積載する受け台）を回動させて記録紙を別に設けた収納箱に入れる（落とし込む）ことができる記録紙排出装置およびこれを備え例えば画像形成装置を提供することにある。
【課題を解決するための手段】
【０００４】
上記の課題を解決するために、請求項１に記載の発明は、胴内に設けられ機械内部品をカバーする機能を備えた排紙トレイ上に記録紙を排出しスタックする記録紙排出装置において、前記排紙トレイを上下方向に回動可能な構成にすると共に、前記排紙トレイを支持するレバー部材を設け、該レバー部材を所定の荷重で引っ張ることによりレバー部材によって排紙トレイを支持させるばね部材を設けたことを特徴とする。
請求項２の発明は、請求項１において、前記排紙トレイを傾斜させて落下させた記録紙束を収納する収納箱を設けたことを特徴とする。
請求項３の発明は、請求項２において、前記排紙トレイが一端部を中心に上下方向へ回動可能で、前記レバー部材が回動可能で、前記ばね部材が前記レバー部材を所定の荷重で引っ張ることを特徴する。
請求項４に記載の発明は、記録紙の満載を検知する満載検知スイッチを設けることを特徴とする請求項３記載の記録紙排出装置を特徴とする。
また、請求項５に記載の発明は、前記レバー部材を電気信号により回動させるソレノイド部材を設ける請求項４記載の記録紙排出装置を特徴とする。
請求項６に記載の発明は、前記収納箱に収容された記録紙端を揃える記録紙揃え機構を設ける請求項２記載の記録紙排出装置を特徴とする。
請求項７に記載の発明は、請求項１ないし６のいずれか１項記載の記録紙排出装置を備えている画像記録装置を特徴とする。
請求項８に記載の発明は、ファクシミリ装置である請求項７記載の画像形成装置を特徴とする。
【発明の効果】
【０００５】
本発明によれば、排紙トレイに積載された記録紙が別な場所に移動可能となり上記のジャム等を防止でき、記録紙がいつ送られてくるか分からず、かつ休日等も受信を受け付けるファクシミリ装置に用いてとくに効果が大である記録紙排出装置を提供することができる。
【発明を実施するための最良の形態】
【０００６】
以下、図面を参照して、本発明の実施の形態を詳細に説明する。図１は本発明を適用するファクシミリ装置を示す概略図である。図１において、ファクシミリ装置は自動原稿給紙装置（ＡＤＦ）１、手差し原稿給紙装置２および原稿読み取り部３を備えている。なお、図示説明の都合上、図１のファクシミリ装置の排紙部は機外排紙装置の如く見えるが、実際には胴内排紙タイプである。
本体トレイ６または手差しトレイ７から給紙された記録紙は、書き込みユニット５から照射されるレーザー光による原稿画像データに基づいて画像記録部８で画像形成され、この画像は定着ユニット４で加熱定着され、記録紙は図の太い矢印の経路で排紙トレイ９に排出される。
このとき、記録紙が排紙トレイ９上に満載され、この排紙トレイ９上での積載許容量を超えると、その後排紙されて来る記録紙はファクシミリ装置の側部に配置された収納箱１０に順次積載される。すなわち、排紙トレイ９上の記録紙束が積載許容量を超えた場合には、排紙トレイ９を下向きに傾斜させて記録紙束を下方に落下させて収納箱１０内に収納させる。
図２は本発明による記録紙排出装置の排紙トレイ周辺を説明する概略図である。図２において、記録紙Ｐを載置する排紙トレイ９は、図示しない筐体に、この排紙トレイ９のピン１１を挿入して上下方向に回転可能に取り付けられる。
排紙トレイ９の下面にはソレノイド部材（ＳＯＬ）１２によって駆動されるプランジャ１３、排紙トレイ９の下面に当接して一端１４ａでこの排紙トレイ９を支持するレバー部材１４、およびこのレバー部材１４の他端１４ｂに作用するばね（ばね部材）１５がそれぞれ筐体に取り付けられる。ばね１５は、レバー部材１４を反時計回りに付勢することにより、一端１４ａにより排紙トレイ９の下面を支持した状態を維持する。
【０００７】
図３は図２に示した記録紙排紙装置の排紙トレイの動き（回動）を説明する概略図である。ＳＯＬ１２に吸引指示が出されるとプランジャ１３がばね１５の付勢力に抗して矢印Ｘ方向に移動し、このプランジャ１３に連結されたレバー部材１４は矢印Ｂの方向に回転させられ、排紙トレイ９も矢印Ａの方向に回転する。
したがって、排紙トレイ９に積載された記録紙Ｐは、矢印Ｃの方向に滑り、収納箱１０内に滑り落ちる。以上の動作により記録紙Ｐは、収納箱１０に移動することが可能となる。
さらに、実際の記録紙排紙装置の操作について簡単に説明する。記録紙Ｐが所定量に達すると排紙トレイ９が矢印Ａの方向に回転するようにばね１５の荷重を設定することで、記録紙Ｐが所定量（枚数）に達した時点で排紙トレイ９が傾いて記録紙Ｐが滑り落ち、さらに排紙トレイ９上には新たな記録紙Ｐのスタックが可能となる。
記録紙Ｐが図示しない満載検知レバーをオンすることで満載を検知すると、次にＳＯＬ１２に吸引指示を出し、以下上記の動きにより記録紙Ｐは、収納箱１０に落とされ収納される。
この場合に、収納箱１０に落とされた記録紙を綺麗に揃える記録紙揃え機構を設けることができる。この記録紙揃え機構は図示してないが、例えば、排紙トレイ９から収納箱１０へ記録紙Ｐを安定してスムーズに案内する案内部材（例えば傾斜板）を設けてもよく、また、収納箱１０を上下、或いは横方向に振動させて記録紙端を揃える構成であってもよい。
ここで、収納箱１０に記録紙Ｐを落としたくない場合は、予め操作部（オペポート上）の満載検知解除スイッチをオンすることで、満載検知してもＳＯＬ１２は吸引せずそのまま記録紙排紙装置を停止させ記録不能状態で待機する。
以上のように、本発明の記録紙排紙装置を用いることで、記録紙Ｐが満載となり、ジャムまたは装置を使用できない等の問題を解消でき、より使い易い記録紙排紙装置を提供できる。
【０００８】
本発明によれば、また、排紙トレイ９より移動させられた記録紙Ｐを収納することが低コストにて実現可能で、信頼性がアップして積載枚数オーバーによるジャムの発生を防止する。さらに、満載検知がオンすることでＳＯＬ１２を引いて排紙トレイ９を傾かせ、記録紙Ｐを滑らせ収納箱１０に保管させることで、記録紙排紙装置が停止することを防止できる。
本発明による記録紙排紙装置は当然ながら画像記録装置に適用して効果が絶大であり、また、とくに本発明による記録紙排紙装置をファクシミリ装置へ展開することによって、記録紙Ｐの満載を検知すると記録紙Ｐを別の収納箱１０に移すことが可能である。
これによって夜間、休日等におけるようにメンテナンスまたは管理の時間的間隔が空いた場合でも、記録紙排紙装置がダウンしてファクシミリ装置全体が停止することを防止することが可能となる。
【図面の簡単な説明】
【０００９】
【図１】本発明を適用するファクシミリ装置を示す概略図。
【図２】本発明による記録紙排出装置の排紙トレイ周辺を説明する概略図。
【図３】図２に示した記録紙排紙装置の排紙トレイの動き（回動）を説明する概略図。
【符号の説明】
【００１０】
Ｐ  記録紙
９  カバー部材（排紙トレイ）
１０  収納箱
１１  ピン
１２  ソレノイド（ＳＯＬ）
１３  プランジャ
１４  レバー部材
１５  ばね
【図１】
2005298127.tif 000003
【図２】
2005298127.tif 000004
【図３】
2005298127.tif 000005